(57)【要約】【課題】この発明は、油受け容器をピットに固定した格納箱内に格納し、油受け容器の不慮の転倒を防止すると共に、塵・埃などの油受け容器内に収集した油への混入を防ぐことができる機械室レスエレベータの油受け装置を得る。【解決手段】側面に形成された給油用開口４および油受け容器２を出し入れする扉５を有する格納箱３が、ガイドレール１０に近接してピットの床面１２ａに固定されている。油受け容器２が、給油用開口４を除いて閉塞状態に格納箱３に格納されている。導油部材６が、一端をガイドレール１０の下端側に接続され、かつ他端側を給油用開口４から格納箱３内に挿入して配設され、一端の給油口８からガイドレール１０を流下する油１３を集めて他端の排油口９から油受け容器２内に流す。【選択図】図２
2009202961.tif 000002
【特許請求の範囲】
【請求項１】
機械室レスエレベータのピット内に配設され、昇降体の昇降移動を案内するガイドレールに供給される油を収集する機械室レスエレベータのガイドレール油受け装置であって、
上記油を収集し、貯留する油受け容器と、
側面に形成された給油用開口および上記油受け容器を出し入れする扉を有し、上記ガイドレールに近接して上記ピット内に固定され、上記油受け容器を該給油用開口を除いて閉塞状態に格納する格納箱と、
一端を上記ガイドレールの下端側に接続され、かつ他端側を上記給油用開口から上記格納箱内に挿入して配設され、該一端から該ガイドレールを流下する油を集めて他端から上記油受け容器内に流す導油部材と、
を備えていることを特徴とする機械室レスエレベータのガイドレール油受け装置。
【請求項２】
上記格納箱の少なくとも一部が上記油受け容器内の油の貯留量を外部から目視確認できる透明な材料で作製されていることを特徴とする請求項１記載の機械室レスエレベータのガイドレール油受け装置。
【発明の詳細な説明】
【技術分野】
【０００１】
この発明は、機械室レスエレベータのガイドレール油受け装置に関するものである。
【背景技術】
【０００２】
エレベータにおいては、かごが昇降路内に上下方向に延設されたガイドレールに案内されて昇降移動する。このとき、かごに設けられたガイドシューがガイドレール上を円滑に摺動するように、ガイドレールの上方に配設された自動給油器から油を給油している。そして、油はガイドレールを伝わって流れ落ち、ピット内のガイドレールの下方に設置された油受け装置に収集される。
【０００３】
従来のエレベータのガイドレール油受け装置は、油を収集する容器本体と、この容器本体の側面に形成され、ガイドレールのガイド部に嵌合する凹部と、容器本体に設けた把手部とを備えた油受け容器を、ガイドレール下端に設けた油受けに着脱自在に設け、凹部をガイドレールのガイド部に圧着嵌合させ、凹部の先端部分にガイド部から容器本体に油を導く傾斜面を形成していた（例えば、特許文献１参照）。
【０００４】
【特許文献１】特開２０００−３０９４７９号公報
【発明の開示】
【発明が解決しようとする課題】
【０００５】
従来のエレベータのガイドレール油受け装置は、油受け容器がガイドレール下端に設けられた油受けに着脱自在に設けられているので、作業者がピット内での作業中に誤って足で油受け容器を転倒させてしまうという不具合があった。特に、機械室レスエレベータにおいては、本来、機械室に設置されていた巻き上げ機などの多くの機器がピット内に設置されており、作業スペースが狭く、かつエレベータの保守点検作業がピット内に集中することから、油受け容器を転倒させる危険性が大きかった。そして、油受け容器を転倒させた場合には、狭いスペースでの清掃作業となり、作業負荷がおおきくなるとともに、清掃に時間がかかってしまう。
また、油受け容器が露出しているので、塵・埃などが油受け容器に収集した油に混入してしまい、油受け容器から回収した油を再利用する際には、混入した塵・埃などを除去する必要があった。
【０００６】
この発明は、上記課題を解決するためになされたもので、油受け容器をピットに固定した格納箱内に格納し、油受け容器の不慮の転倒を防止すると共に、塵・埃などの油受け容器内に収集した油への混入を防ぐことができる機械室レスエレベータの油受け装置を得ることを目的とする。
【課題を解決するための手段】
【０００７】
この発明による機械室レスエレベータの油受け装置は、機械室レスエレベータのピット内に配設され、昇降体の昇降移動を案内するガイドレールに供給される油を収集する機械室レスエレベータのガイドレール油受け装置であって、上記油を収集し、貯留する油受け容器と、側面に形成された給油用開口および上記油受け容器を出し入れする扉を有し、上記ガイドレールに近接して上記ピット内に固定され、上記油受け容器を該給油用開口を除いて閉塞状態に格納する格納箱と、一端を上記ガイドレールの下端側に接続され、かつ他端側を上記給油用開口から上記格納箱内に挿入して配設され、該一端から該ガイドレールを流下する油を集めて他端から上記油受け容器内に流す導油部材と、を備えている。
【発明の効果】
【０００８】
この発明では、油受け容器がピッチ内に固定された格納箱に格納されているので、作業者の足が油受け容器に触れて油受け容器を転倒させることが防止される。また、油受け容器が側面に形成された給油用開口を除いて閉塞状態に格納されているので、油受け容器内に収集された油への塵・埃などの混入が抑えられる。
【発明を実施するための最良の形態】
【０００９】
以下、本発明の一実施の形態を図面に基づいて説明する。
図１はこの発明の一実施の形態に係る油受け装置の取り付け状態を示す斜視図、図２はこの発明の一実施の形態に係る油受け装置の取り付け状態を示す断面図である。
【００１０】
図１および図２において、機械室エスエレベータのガイドレール油受け装置１は、油を収集し貯留する油受け容器２と、油受け容器２を内部に格納する格納箱３と、ガイドレール１０を流れ落ちる油１３を集めて油受け容器２に流す導油部材６と、を備えている。油受け容器２は、例えば、合成樹脂等を用いて有底箱状に作製されている。格納箱３は、例えば、合成樹脂などを用いて６面体の箱状に作製され、導油部材６の他端側が挿入される給油用開口４が一側面に穿設され、油受け容器２を出し入れするための扉５が他の一側面に開閉自在に取り付けられている。導油部材６は、一端の給油口８から他端の排油口９に向かって下り勾配に形成され、一端にガイドレール１０のガイド部１０ａに圧着嵌合する凹部７を備えている。そして、導油部材６の一端の給油口８は、凹部７をガイド部１０ａに圧着嵌合すると、ガイドレール１０のＴ字状のガイド部１０ａおよび基部１０ｂの表面に密接する形状に形成されている。
【００１１】
ここで、機械室レスエレベータにおいては、昇降体としてのかごの昇降を案内する一対のガイドレール１０が昇降路に沿って上下方向に延設され、レールクリップ１１により基部１０ｂを昇降路の壁に固定されている。そして、ガイドレール１０の下端がピット１２内まで延設されている。
【００１２】
つぎに、ガイドレール油受け装置１を設置するには、まず、格納箱３が、給油用開口４をガイドレール１０側に向けて、ガイドレール１０の下端側に近接して配置され、ピット１２の床面１２ａに固定される。そして、導油部材６が、凹部７をガイドレール１０のガイド部１０ａに圧着嵌合して一端側をガイドレール１０に取り付けられ、他端側を給油用開口４から格納箱３内に挿入して配設される。これにより、導油部材６の一端側の給油口８がガイドレール１０のガイド部１０ａおよび基部１０ｂの表面に密着する。さらに、油受け容器２が、給油用開口４から挿入された導油部材６の排油口９の真下位置に位置するように、格納箱３内に格納される。
【００１３】
ガイドレール１０の上方に配設された自動給油器（図示せず）から給油された油１３が、ガイドレール１０を伝わって流れ落ちる。ガイドレール１０の下端まで流れ落ちてきた油１３は、給油口８から導油部材６内に流れ込み、導油部材６内を排油口９まで流れ、排油口９から油受け容器２内に滴下され、油受け容器２内に収集し、貯留される。
所定量の油１３が油受け容器２内に収集されると、扉５をあけて油受け容器２を取り出し、油受け容器２内の油１３を回収し、再利用に供せられる。
【００１４】
このように、この発明によれば、油１３を収集し、貯留する油受け容器２がピット１２の床面１２ａに固定された格納箱３内に格納されているので、ピット１２内で作業中の作業者の足が油受け容器２を触れることがない。そこで、作業スペースが狭く、かつエレベータの保守点検作業がピット１２内に集中する機械室レスエレベータであっても、作業者がピット１２内での作業中に誤って油受け容器２を転倒させてしまうことが防止される。その結果、作業負荷がおおきく、作業時間が長くなる油受け容器２の転倒にともなう清掃作業がなくなり、作業者の負荷が軽減される。
また、油受け容器２が給油用開口４を除いて閉塞状態に格納箱３内に格納されているので、油受け容器２に収集、貯留されている油１３への塵・埃などの混入が抑えられ、油受け容器２から回収した油１３を簡易な濾過作業だけで再利用することができる。
【００１５】
ここで、格納箱３を透明なアクリル樹脂などで作製すれば、油受け容器２内の油１３の貯留量を格納箱３の外部から目視確認できるので、油１３が油受け容器２に満杯となる前に回収でき、油１３が油受け容器２から溢れて、格納箱３内を汚すことがない。この場合、格納箱３の全てを透明材で作製する必要はなく、少なくとも外部から油受け容器２内の油１３の貯留量を目視確認できる格納箱の部位が透明な材料で作製されていればよい。
【００１６】
なお、上記実施の形態では、かご（昇降体）の昇降を移動するガイドレールに適用するものとしているが、つり合いおもり（昇降体）の昇降を案内するガイドレールに適用してもよい。
【図面の簡単な説明】
【００１７】
【図１】この発明の一実施の形態に係る油受け装置の取り付け状態を示す斜視図である。
【図２】この発明の一実施の形態に係る油受け装置の取り付け状態を示す断面図である。
【符号の説明】
【００１８】
１  ガイドレール油受け装置、２  油受け容器、３  格納箱、４  給油用開口、５  扉、６  導油部材、１０  ガイドレール、１２  ピット、１３  油。
【図１】
2009202961.tif 000003
【図２】
2009202961.tif 000004